(57)【要約】【課題】皮膚かぶれの防止と臭気の除去とを長時間持続できる衛生もしくは医療用品を提供するための抗菌材料、該抗菌材料を付帯処理した衛生もしくは医療用品および該抗菌材料の製造方法を提供する。【解決手段】界面反応法にて形成した多孔質カプセルを乾燥して中空化させた後真空脱気を行う工程、及び脱気状態となった上記カプセル中空部にクマザサ抽出成分を吸収させカプセル化する工程とからなる抗菌材料。担持体に上記抗菌材料を付帯処理してなる衛生もしくは医療用品。【選択図】　なし【特許請求の範囲】
【請求項１】
多孔質カプセルにクマザサ抽出成分を含有させたことを特徴とする抗菌材料。
【請求項２】
多孔質カプセルを構成する材料がシリカ微粒子である請求項１の抗菌材料。
【請求項３】
多孔質カプセルの粒径が０．５〜５０μｍである請求項１または２の抗菌材料。
【請求項４】
担持体に請求項１ないし３いずれか記載の抗菌材料を付帯処理してなる衛生もしくは医療用品。
【請求項５】
界面反応法にて形成した無機質多孔質カプセルを乾燥して中空化させた後真空脱気を行う工程、及び脱気状態となった上記カプセル中空部にクマザサ抽出成分を吸収させカプセル化する工程とからなることを特徴とする抗菌材料の製造方法。
【発明の詳細な説明】
【０００１】
【発明の属する技術分野】
本発明は、抗菌材料およびその製造方法に関し、詳細には、紙おむつ、包帯等の衛生用品に適した抗菌材料に関する。
【０００２】
【従来の技術】
乳幼児、お年寄りが使用する紙おむつや、包帯等の人体に接触する衛生用品は、接触した皮膚より排出された汗やその他体液等が衛生用品に一部移動し、その衛生用品の中で細菌が繁殖することがある。この細菌の繁殖は、皮膚かぶれ等の原因となることが知られている。最近は、アトピー性等の皮膚炎になりやすい子供も増加しており、皮膚かぶれは重大な問題となっている。
【０００３】また、排出された汗や体液を含む排泄物および前記排泄物に繁殖した細菌などが発する臭気も重大な問題となっている。
【０００４】このような臭気の除去に関しては、例えば、活性炭（特開昭５７−１４２２５６号公報）、ゼオライト（特開昭５６−３０５４号公報）、グリチルリチン（特開平９−１０８２６１号公報）等、香料や吸着剤等の添加で軽減する方法が知られている。しかし、臭気の除去の継続性・実効性という点で、あるいは、皮膚かぶれの防止の点で、依然として問題は残っている。
【０００５】クマザサ抽出成分が抗菌作用を有することは知られている。しかしながら、クマザサの抽出成分を直接包帯等に塗布すると効果の持続性が少なく、又、クマザサ抽出成分を通常のカプセルにて保持する方法は、効果を発揮させるためには、カプセルの殻を破壊する必要があった。
【０００６】
【発明が解決しようとする課題】
本発明は、皮膚かぶれの防止と臭気の除去とを長時間持続できる衛生もしくは医療用品を提供するための抗菌材料、該抗菌材料を付帯処理した衛生もしくは医療用品および該抗菌材料の製造方法を提供するものである。
【０００７】
【課題を解決するための手段】
すなわち、本発明は、多孔質カプセルにクマザサ抽出成分を含有させたことを特徴とする抗菌材料に関する。
【０００８】更に本発明は、多孔質カプセルを構成する材料がシリカ微粒子である上記抗菌材料に関する。
【０００９】更に本発明は、多孔質カプセルの粒径が０．５〜５０μｍである上記抗菌材料に関する。
【００１０】更に本発明は、担持体に上記抗菌材料を付帯処理してなる衛生もしくは医療用品。
【００１１】更に本発明は、界面反応法にて形成した多孔質カプセルを乾燥して中空化させた後真空脱気を行う工程、及び脱気状態となった上記カプセル中空部にクマザサ抽出成分を吸収させカプセル化する工程とからなることを特徴とする抗菌材料の製造方法に関する。
【００１２】
【発明の実施の形態】
本発明で使用されるクマザサ抽出成分とは、イネ科クマザサから抽出される「ササ配糖体」を主成分とする成分である。「ササ配糖体」は、キシロース、アラビノース等のペントース（五炭糖）、ガラクトース、グルコース等のヘキソース（六炭糖）を構造単糖とする。クマザサは、古くから薬効のある植物として伝承され、抗菌作用、防腐作用、消臭作用、抗腫瘍作用、細胞賦活作用等の効果があることが知られている。
【００１３】クマザサ抽出成分は、クマザサを裁断したのち、水、アルコールなどの抽出溶剤に浸漬して圧搾し、また、抽出装置による濃縮を行い、クマザサ抽出液として得ることができる。クマザサ抽出液は適宜、水等で希釈して使用することができる。
【００１４】クマザサ抽出成分は、皮膚かぶれの原因となる菌や、臭気の原因となる菌と臭気化合物を分解する作用があるので、皮膚かぶれ防止と臭気の問題が、持続的、実効的に解決される。
【００１５】クマザサ抽出成分は、多糖体を主成分とするため親水性であり、水溶液として取り扱いができる。さらに、特に高湿度の環境でクマザサ抽出成分の抗菌作用等が発現されやすいために、体液を吸収して高湿度の環境となる衛生用品は、他の抗菌作用等を示す天然素材に比べてクマザサ抽出成分の抗菌作用等が活用できる最適用途といえる。
【００１６】本発明の抗菌材料は、このクマザサ抽出成分を殻部に多数の細孔を有する多孔質カプセルに充填したものである。多孔質カプセルを構成する殻材料としては、皮膚へ接触しても問題のないシリカ材料等の無機材料が好ましい。
【００１７】本発明のクマザサ抽出液を含む多孔質カプセルは、界面反応法にて製造する。界面反応法は、例えば、珪酸ナトリウムの水溶液とＨＬＢ３．５〜７．５に調整した揮発性の炭化水素溶剤とを乳化させＷ／Ｏのエマルションを形成したのち、硫酸アンモニウムの水溶液にて（ｗ／ｏ）／Ｗの状態にて界面反応をさせ、反応後、メタノールによる洗浄、精製水による洗浄後、加熱乾燥する。又、上記工程で硫酸アンモニウムに代えて塩化カルシウムを使用すれば珪酸カルシウムを殻とした中空カプセルを形成することができる。
【００１８】このようにして得られた中空カプセルは、真空脱気装置にて十分系内を脱気し、しかる後、クマザサ抽出成分を導入し、カプセル中空部にクマザサ抽出成分を注入する。さらに、クマザサ抽出液を含有させたのち、カプセルへの加圧状態を加えることはさらに有効である。
【００１９】本発明の抗菌材料が使用される衛生もしくは医療用品は、皮膚に密着して使用するものであり、例えば、紙おむつ、包帯、絆創膏、ナプキン等が挙げられる。抗菌材料を付帯する担持体としては織布、不織布、プラスチックフィルム、紙等がある。
【００２０】本発明の抗菌材料を担持体に付帯させるには、抗菌材料を含む液を担持体に塗布、噴霧するか、担持体を抗菌材料を含む液に含浸することにより物理的または化学的に固定する。
【００２１】付帯処理するための液は、クマザサ抽出成分を含有する多孔質カプセルをそのまま、あるいはクマザサ抽出成分を含有する多孔質カプセルを適当なバインダーに配合した液である。
【００２２】
【実施例】
以下に実施例を示し、本発明を具体的に説明する。
【００２３】実施例１
珪酸ナトリウム水溶液とＨＬＢ４．８に調整したヘキサンとを浸透させＷ／Ｏエマルションを作成した。このエマルションを、硫酸アンモニウム溶液に注入し、３０分反応させた。反応後、遠心分離によりカプセルを沈降させてとりだし、メタノール洗浄後、精製水にて洗浄した。減圧濾過にて沈殿物を取り出し、１１０℃のオーブンにて約１２時間加熱乾燥させた。得られたシリカ白色粉末は、粒径が８μｍの球状であり、多孔質の中空状であった。このシリカ多孔質中空微粒子カプセルを減圧脱気し、しかる後、クマザサエキス（金井藤吉商店製）２５％水溶液を、カプセルに含有させ抗菌材料を作成した。この抗菌材料を、ポリエチレン製の不織布、吸水性ポリマーおよびポリエチレンからなる紙おむつの不織布側に２ｇ／ｍ２（固形分）塗布させた後乾燥させ、抗菌処理紙おむつを得た。
【００２４】この抗菌処理紙おむつを約２ｃｍの円形に切り取り、試験片としてシャーレに入れた。試験片の不織布側へ、大腸菌（Ｅｓｃｈｅｒｉｃｈｉａ　ｃｏｌｉ　ＩＦＯ　３９７２）の菌数が約３００，０００個／ｍｌである菌培養液０．１ｍｌを滴下した。シャーレのふたを閉め、３５℃、相対湿度９０％で１９時間保存した。試験片を減菌生理食塩水１．９ｍｌで洗い出し、回収液とした。この回収液を普通寒天培地で３５℃、２４時間培養して生菌数を測定したところ、菌は検出されなかった。
【００２５】比較例１
実施例１において、抗菌処理をしていない紙おむつと同じ製品を用いた以外は、実施例２と同様の操作を行って、生菌数を測定したところ、約９０，０００，０００個／ｍｌであった。
【００２６】
【発明の効果】本発明の抗菌材料は、クマザサ抽出成分を多孔質カプセルに充填したものであり抗菌作用が持続する。したがって、本発明の抗菌材料を使用した衛生用品は、菌の増殖による臭気の発生と皮膚かぶれとを防止し、また脱臭効果により臭気を消臭することができる。